(57)【要約】【課題】消防車を用いた操法訓練において各動作に要する時間を自動でかつ正確に計測可能な時間計測装置及び消防車を提供する。【解決手段】消防車に、真空ポンプ３や吐水口４などの揚水関連機器を制御する揚水制御装置２に接続され、各揚水関連機器の運転状況に関する信号を検出する信号検出部１１と、信号検出部１１での検出結果に基づき消防操法における各動作の所要時間を計測する計測部１３を備える時間計測装置１を取り付ける。【選択図】図１
0003224884.tif 000002
【実用新案登録請求の範囲】
【請求項１】
消防車に取り付けられる時間計測装置であって、
揚水関連機器を制御する揚水制御装置に接続され、前記揚水関連機器の運転状況に関する信号を検出する信号検出部と、
前記信号検出部での検出結果に基づき消防操法における各動作の所要時間を計測する計測部と
を備える消防車用時間計測装置。
【請求項２】
前記計測部での計測結果を表示する表示部を備える請求項１に記載の消防車用時間計測装置。
【請求項３】
マイクに接続され、音声を検出する音声検出部を有する請求項１又は２に記載の消防車用時間計測装置。
【請求項４】
請求項１〜３のいずれか１項に記載の時間計測装置を備える消防車。
【考案の詳細な説明】
【技術分野】
【０００１】
本考案は、消防操法における各動作の所要時間を計測する時間計測装置及びこの装置を備えた消防車に関する。
【背景技術】
【０００２】
近年、消防車は高機能化しており、消防車に備えられている各設備の電子制御化も進んでいる（例えば、特許文献１，２参照）。一方、消防操法訓練において、消防器具の操作や消防に必要な動作に要した時間を測定することは、迅速に消火活動を行う上で重要であるが、従来、操法訓練や操法大会などでは、計測担当者がストップウォッチなどを用いて、各動作の所要時間を手動で計測している。
【先行技術文献】
【特許文献】
【０００３】
【特許文献１】特開２０１５−６６２４８号公報
【考案の概要】
【考案が解決しようとする課題】
【０００４】
しかながら、ストップウォッチによる所要時間の計測は、計測者の技量によるところが多く、正確さに欠けるという課題がある。また、ストップウォッチによる計測は、全体の所要時間は測定可能ではあるが、操作や動作毎の所要時間は測定できないため、操法訓練の際にどの操作・動作に時間を要したか分析することができず、訓練に反映できないという課題がある。更に、前述した従来の計測方法は、計測のために人員を配置する必要があるため、限られた人数で訓練を行う際には所要時間を計測できないという課題もある。
【０００５】
そこで、本考案は、消防車を用いた操法訓練において各動作に要する時間を自動でかつ正確に計測可能な時間計測装置及び消防車を提供することを目的とする。
【課題を解決するための手段】
【０００６】
本考案に係る消防車用時間計測装置は、消防車に取り付けられる時間計測装置であって、揚水関連機器を制御する揚水制御装置に接続され、前記揚水関連機器の運転状況に関する信号を検出する信号検出部と、前記信号検出部での検出結果に基づき消防操法における各動作の所要時間を計測する計測部とを備える。
本考案の消防車用時間計測装置は、例えば前記計測部での計測結果を表示する表示部を備えていてもよい。
また、本考案の消防車用時間計測装置は、マイクに接続され、音声を検出する音声検出部を設けることもできる。
【０００７】
本考案に係る消防車は、前述した時間計測装置を備えるものである。
【０００８】
本稿案における「消防車」には、ポンプ車、タンク車、化学車及び水槽車などの各種消防用車両を含む。
【考案の効果】
【０００９】
本考案によれば、消防車の各設備の操作状況を電気的に検出しているため、操法訓練における各動作に要する時間を自動でかつ正確に計測することができる。
【図面の簡単な説明】
【００１０】
【図１】本考案の実施形態の時間計測装置の構成を示すブロック図である。
【図２】図１に示す時間計測装置１の動作を示すフローチャートである。
【図３】表示部１４の表示例を示す図である。
【考案を実施するための形態】
【００１１】
以下、本考案を実施するための形態について、添付の図面を参照して、詳細に説明する。なお、本考案は、以下に説明する実施形態に限定されるものではない。
【００１２】
（第１の実施形態）
先ず、本考案の第１の実施形態の時間計測装置について説明する。本実施形態の時間計測装置は、消火技術向上を目指し、日常的に操法訓練を実施している消防隊員の長年の要望を叶えるために考案されたものであり、操法訓練の際に各動作に要する時間を自動計測するものである。図１は本実施形態の時間計測装置の構成を示すブロック図である。図１に示すように、本実施形態の時間計測装置１は、信号検出部１１、音声検出部１２、計測部１３及び表示部１４などを備えており、ポンプ車、タンク車、化学車及び水槽車などの各種消防用車両（以下、単に消防車という。）に取り付けられる。
【００１３】
［信号検出部１１］
信号検出部１１は、真空ポンプ３や吐水口４などの揚水関連機器を制御する揚水制御装置２に接続されており、各揚水関連機器の運転状況に関する信号を検出するものである。信号検出部１１で検出される信号としては、例えば揚水制御装置２の電源のＯＮ、揚水の開始／完了、吐水口の開閉に関する信号などが挙げられる。
【００１４】
［音声検出部１２］
音声検出部１２は、別途設けられたマイク５に接続され、操法訓練において各種動作の開始を示すかけ声などの音声を検出するものであり、必要に応じて設けられる。一般に、操法訓練では、「よし」などのかけ声によって各種動作を開始する。そこで、本実施形態の時間計測装置では、このような訓練時のかけ声などの音声を、マイク５などを介して音声検出部１２で検出し、後述する計測部１３において動作開始の基準点として用いることもできる。
【００１５】
［計測部１３］
計測部１３は、信号検出部１１での各揚水関連機器の運転状況に関する信号の検出結果及び音声検出部１２でのかけ声の検出結果から、各動作の所要時間を計測する。具体的には、信号検出部１１における揚水制御装置２の電源ＯＮの信号検出又は音声検出部１２におけるかけ声検出を基準とし、この基準信号の検出時から計測を開始して、真空ポンプ３や吐水口４などの揚水関連機器の操作や動作の信号検出までの時間を計測する。
【００１６】
この計測部１３で計測される時間としては、揚水開始までの時間、揚水完了までの時間、吐水口を開くまでの時間、吐水口を閉じるまでの時間などが挙げられる。また、消防車には吐水口が複数設けられていることがあるが、本実施形態の時間計測装置１では、吐水口毎に開閉に関する信号を検出し、その所要時間を計測することができる。
【００１７】
なお、計測部１３での計測結果は直ちに表示部１４に送信して表示してもよいが、計測部１３に内蔵された又は外付けで設けられた記録媒体に記録しておき、訓練者の求めに応じて任意のタイミングで表示部１４に送信して表示することもできる。ここで、計測部１３に設けられる記録媒体としては、例えば、揮発性メモリや不揮発性メモリなどの半導体メモリ、ハードディスク、ＤＶＤ（Digital Versatile Disc）などが挙げられるが、これらに限定されるものではなく、時間計測装置の仕様や設計に応じて任意の記録媒体を使用することができる。
【００１８】
［表示部１４］
表示部１４は、計測部１３での計測結果、即ち、操法訓練における各種動作に要した時間を表示するものである。この表示部１４は、本実施形態の時間計測装置１の専用とし、計測された時間のみを表示してもよいが、例えば揚水制御装置２などの他の装置と兼用にして各揚水関連機器の運転状況なども表示することもできる。
【００１９】
［動作］
次に、本実施形態の時間計測装置１の動作について、ポンプ車操法訓練の各動作の所要時間を測定する場合を例に説明する。図２は図１に示す時間計測装置１の動作を示すフローチャートである。図２に示すように、ポンプ車操法訓練の場合は、信号検出部１１において揚水制御装置２の電源がＯＮされたことを示す信号を検出したとき、又は、訓練開始を示す音声を検出したときを基準（０秒）とし、計測部１３で計測を開始する。
【００２０】
そして、信号検出部１１において、「揚水開始信号」、「揚水完了の信号」、「吐水口開放の信号」、「吐水口閉鎖の信号」を検出したとき、計測部１３において基準時からの経過時間（所要時間）をそれぞれ計測し、その結果を計測部１３に設けられた記録媒体に保存（記録）する。なお、一連の訓練の途中で音声検出による計測を行ってもよい。具体的には、左側吐水口での操作が完了した後、右側吐水口の操作に入ることを指示する音声を認識した場合、「右側開始」の信号を検出したとして、計測部１３において基準時からの経過時間（所要時間）を計測し、その結果を計測部１３に設けられた記録媒体に保存（記録）する。
【００２１】
記録媒体に記録された各動作の所要時間のデータは、表示部１４に送られ表示される。図３は表示部１４の表示例を示す図である。表示部１４での表示形式は、特に限定されるものではないが、例えば図３に示すように、「トータル（総所要時間）」、「揚水開始（基準時から揚水開始までの時間）」、「揚水完了（基準時からタンクに水が溜まり揚水が完了するまでの時間）」、「吐水口開（基準時から吐水口開放までの時間）」、「吐水口閉（基準時から吐水口閉鎖までの時間）」などが挙げられるが、これらに限定されるものではなく、操法訓練における任意の動作の所要時間を計測することができる。
【００２２】
なお、図２に示す時間計測方法では、基準時を０秒として経過時間を計測しているが、本考案はこれに限定されるものではなく、例えば時計に接続され、時刻データを入力可能な場合は、計測開始及び各動作の信号検出時の時刻を記録媒体に保存（記録）し、それらの差から所要時間を算出してもよい。また、本実施形態の時間計測装置では、計測結果を記録媒体に保存せずに直接表示装置に表示してもよい。
【００２３】
以上詳述したように、本実施形態の時間計測装置は、揚水制御装置に接続され、各揚水関連機器の運転状況に関する信号が検出された時間を計測しているため、消防操法における各動作の所要時間を自動でかつ正確に計測することができる。そして、本実施形態の時間計測装置を用いることにより、操法訓練の際に時間計測のための人員を配置する必要がなくなり、更には、訓練全体にかかった時間だけでなく、操作や動作毎の所要時間も測定することが可能となる。
【００２４】
（第２の実施形態）
次に、本考案の第２の実施形態の消防車について説明する。本実施形態の消防車は、前述した第１の実施形態の時間計測装置を備えるものである。本実施形態の消防車は、時間計測装置により消防操法における各動作の所要時間を自動でかつ正確に計測できるため、時間計測のための人員が不要となり、少人数での訓練にも対応することが可能となる。また、本実施形態の消防車に搭載された時間計測装置は、全体の所要時間だけでなく、操作や動作毎の所要時間も測定できるため、操法訓練の際にどの操作・動作に時間を要したかを分析し、訓練に反映させることもできる。
【符号の説明】
【００２５】
１  時間計測装置
２  揚水制御装置
３  真空ポンプ
４  吐水口
５  マイク
１１  信号検出部
１２  音声検出部
１３  計測部
１４  表示部
【図１】
0003224884.tif 000003
【図２】
0003224884.tif 000004
【図３】
0003224884.tif 000005